(57)【要約】【課題】周囲の照度が高い状況及び周囲の照度が低い状況のいずれにおいても、液晶表示装置の視認性を確保しながらバックライトにおける消費電力を低減することができる加熱調理装置を提供する。【解決手段】本発明の一態様に加熱調理装置は、電池と、電池からの給電により駆動されるバックライトと、液晶表示装置と、周囲の照度を検知する照度センサと、制御部とを備える。液晶表示装置は、液晶表示装置を透過するバックライトからの透過光及び液晶表示装置の内部において反射する反射光の少なくとも一方により映像を表示するように構成される。制御部は、照度が第１の値以下である場合、照度が低くなるほどバックライトの輝度が低くなるようにバックライトを制御するとともに、照度が第１の値よりも大きい第２の値以上である場合、照度が高くなるほど輝度が低くなるようにバックライトを制御するように構成される。【選択図】図１
2019060533.tif 000002
【特許請求の範囲】
【請求項１】
電池と、
前記電池からの給電により駆動されるバックライトと、
液晶表示装置と、
周囲の照度を検知する照度センサと、
制御部とを備え、
前記液晶表示装置は、前記液晶表示装置を透過する前記バックライトからの透過光及び前記液晶表示装置の内部において反射する反射光の少なくとも一方により映像を表示するように構成され、
前記制御部は、前記照度センサによって検知される照度が第１の値以下である場合、前記照度センサによって検知される照度が低くなるほど前記バックライトの輝度が低くなるように前記バックライトを制御するとともに、前記照度センサによって検知される照度が前記第１の値よりも大きい第２の値以上である場合、前記照度センサによって検知される照度が高くなるほど前記バックライトの輝度が低くなるように前記バックライトを制御するように構成される、加熱調理装置。
【請求項２】
前記液晶表示装置は、メモリ素子と、前記メモリ素子における記憶状態に基づいて電圧が印加される画素電極とを有する、請求項１に記載の加熱調理装置。
【請求項３】
前記液晶表示装置に向かって光を照射する照明装置をさらに備え、
前記制御部は、前記照度センサによって検知された照度に応じて前記照明装置を点灯するように前記照明装置を制御するように構成される、請求項１又は請求項２に記載の加熱調理装置。
【請求項４】
本体部と、
前記本体部に開閉可能に取り付けられる操作部とをさらに備え、
前記液晶表示装置及び前記照度センサは、前記操作部が開いた状態において前記本体部から露出し、かつ、前記操作部が閉じた状態において前記本体部に収納されるように前記操作部に取り付けられ、
前記液晶表示装置は、前記操作部が開いた状態において前記本体部に近い側にある上辺と、前記操作部が開いた状態において前記本体部から遠い側にある下辺とを有し、
前記照度センサは、前記操作部において、前記下辺側に配置される、請求項１〜請求項３のいずれか１項に記載の加熱調理装置。
【請求項５】
前記電池の電圧を検知する電圧測定部をさらに備え、
前記制御部は、前記電圧測定部が前記電池の電圧低下を検知した場合、前記バックライトの輝度を下げるように前記バックライトを制御するように構成される、請求項１〜請求項４のいずれか１項に記載の加熱調理装置。
【請求項６】
電池と、前記電池により駆動されるバックライトと、液晶表示装置とを備える加熱調理装置の制御方法であって、
前記液晶表示装置は、前記液晶表示装置を透過する前記バックライトからの透過光及び前記液晶表示装置の内部において反射する反射光の少なくとも一方により映像を表示するように構成され、
周囲の照度を検知する第１工程と、
前記第１工程において検知される照度に基づいて、前記バックライトの輝度を制御する第２工程とを備え、
前記第２工程において、前記バックライトは、前記第１工程において検知される照度が第１の値以下である場合に、前記第１工程において検知される照度が低くなるほど前記バックライトの輝度が低くなるように制御され、かつ前記第１工程において検知される照度が前記第１の値よりも大きい第２の値以上である場合に、前記第１工程において検知される照度が高くなるほど前記バックライトの輝度が低くなるように制御される、制御方法。
【発明の詳細な説明】
【技術分野】
【０００１】
本発明は、加熱調理装置及びその制御方法に関する。より特定的には、本発明は、液晶表示装置を有する加熱調理装置及びその制御方法に関する。
【背景技術】
【０００２】
従来から、特開平６−２７４４０号公報（特許文献１）に記載の液晶表示装置及び特開平６−２６５８４８号公報（特許文献２）に記載の液晶表示装置が知られている。
【０００３】
特許文献１に記載の液晶表示装置は、液晶表示部と、バックライト部と、バックライト調光制御部と、照度センサ部とを有している。液晶表示部は、入力された文字等の映像をバックライト部からの光により表示する。バックライト調光制御部は、照度センサ部によって検知された周囲の照度に基づいて、バックライト部から発せられる光の輝度を変化させるように、バックライト部を制御する。より具体的には、バックライト調光制御部は、周囲の照度が高い場合（周囲が明るい場合）にバックライト部からの光の輝度を上昇させるように制御を行い、周囲の照度が低い場合（周囲が暗い場合）にバックライト部からの光の輝度を低下させるように制御を行う。
【０００４】
特許文献２に記載の液晶表示装置は、バックライトと、照度センサとを有している。特許文献２に記載の液晶表示装置において、バックライトは、照度センサによって検知された周囲の照度が低い場合（周囲が暗い場合）に輝度を上昇させ、かつ、照度センサによって検知された周囲の照度が高い場合（周囲が明るい場合）に輝度を低下させるように制御される。
【先行技術文献】
【特許文献】
【０００５】
【特許文献１】特開平６−２７４４０号公報
【特許文献２】特開平６−２６５８４８号公報
【発明の概要】
【発明が解決しようとする課題】
【０００６】
特許文献１に記載の液晶表示装置においては、周囲の照度が高い場合に、バックライト部からの光の輝度が上昇するため、消費電力が上昇する。特許文献２に記載の液晶表示装置においては、周囲の照度が低い場合に、バックライトからの光の輝度が上昇するため、消費電力が上昇する。このように、特許文献１に記載の影響表示装置及び特許文献２に記載の液晶表示装置においては、周囲の照度が高い状況及び周囲の照度が低い状況のいずれかにおいて、バックライトにおける消費電力が増大してしまうという問題がある。バックライトにおける消費電力の増大は、液晶表示装置が電池により駆動されている場合に、特に問題となる。液晶表示装置が電池により駆動されている場合、消費電力の増大は、電池交換頻度の増加につながるからである。
【０００７】
本発明は、上記のような従来技術の問題点に鑑みてなされたものである。より具体的には、本発明は、周囲の照度が高い状況及び周囲の照度が低い状況のいずれにおいても、液晶表示装置の視認性を確保しながらバックライトにおける消費電力を低減することができる加熱調理装置を提供するものである。
【課題を解決するための手段】
【０００８】
本発明の一態様に加熱調理装置は、電池と、電池からの給電により駆動されるバックライトと、液晶表示装置と、周囲の照度を検知する照度センサと、制御部とを備える。液晶表示装置は、液晶表示装置を透過するバックライトからの透過光及び液晶表示装置の内部において反射する反射光の少なくとも一方により映像を表示するように構成されている。制御部は、照度センサによって検知される照度が第１の値以下である場合、照度センサによって検知される照度が低くなるほどバックライトの輝度が低くなるようにバックライトを制御するとともに、照度センサによって検知される照度が第１の値よりも大きい第２の値以上である場合、照度センサによって検知される照度が高くなるほど前記バックライトの輝度が低くなるようにバックライトを制御するように構成される。
【０００９】
上記の加熱調理装置において、制御部は、照度センサによって検知される照度が第１の値以下である場合、照度センサによって検知される照度が低くなるほどバックライトの輝度が低くなるようにバックライトを制御するとともに、照度センサによって検知される照度が第１の値よりも大きい第２の値以上である場合、照度センサによって検知される照度が高くなるほどバックライトの輝度が低くなるようにバックライトを制御するため、周囲の照度が高い状況及び周囲の照度が低い状況のいずれにおいてもバックライトの消費電力が低減される。
【００１０】
上記の加熱調理装置の液晶表示装置においては、液晶表示装置の内部において反射する反射光により、映像を表示させることができる。そのため、上記の加熱調理装置の液晶表示装置においては、周囲の照度が高い場合、バックライトからの光の輝度が低くても、液晶表示装置の視認性を確保することができる。また、上記の加熱調理装置の液晶表示装置においては、バックライトからの透過光によっても、映像を表示させることができる。周囲の照度が低い場合、バックライトからの光の輝度が周囲の照度との関係で相対的に高くなるため、バックライトからの光の輝度が低くても、液晶表示装置の視認性を確保することができる。そのため、上記の加熱調理装置においては、制御部が上記のようなバックライトの制御を行うことにより、周囲の照度が高い状況及び周囲の照度が低い状況のいずれにおいても、液晶表示装置の視認性を確保しつつ、バックライトにおける消費電力を低減することができる。
【００１１】
上記の加熱調理装置において、液晶表示装置は、メモリ素子と、メモリ素子における記憶状態に基づいて電圧が印加される画素電極とを有していてもよい。
【００１２】
通常、液晶表示装置の単位画素は、画素トランジスタと、キャパシタと、画素電極とを有している。このような液晶表示装置においては、画素トランジスタのオン・オフによってキャパシタに充電される電荷で画素電極に電圧を印加することにより、映像の表示を行う。キャパシタに保持される電荷は、画素トランジスタからのリーク電流の影響により時間的に変動する。そのため、通常の液晶表示装置においては、表示される映像に変化がなくても、一定の時間間隔で、キャパシタに充電をし直すリフレッシュ動作が必要となる。このリフレッシュ動作の際に、周辺回路に電流が流れるため、電力消費が発生する。
【００１３】
しかしながら、上記の加熱調理装置の液晶表示装置がメモリ素子と、メモリ素子における記憶状態に基づいて電圧が印加される画素電極とを有している場合、上記のようなリフレッシュ動作が不要となる。そのため、この場合には、液晶表示装置の消費電力をさらに低減することができる。
【００１４】
上記の加熱調理装置において、液晶表示装置に向かって光を照射する照明装置をさらに備えていてもよい。制御部は、照度センサによって検知される照度に応じて照明装置を点灯するように照明装置を制御してもよい。
【００１５】
この場合には、液晶表示装置は、照明装置から照射される光を液晶表示装置の内部において反射させることにより映像を表示することができるため、バックライトからの光の輝度が低くなるように制御されても、液晶表示装置の視認性を確保することができる。そのため、この場合には、バックライトにおける消費電力をさらに低減することができる。
【００１６】
上記の加熱調理装置は、本体部と、本体部に開閉可能に取り付けられる操作部とをさらに備えていてもよい。液晶表示装置及び照度センサは、操作部が開いた状態において本体部から露出し、かつ、操作部が閉じた状態において本体部に収納されるように操作部に取り付けられていてもよい。液晶表示装置は、操作部が開いた状態において本体部に近い側にある上辺と、操作部が開いた状態において本体部から遠い側にある下辺とを有していてもよい。照度センサは、下辺側に配置されていてもよい。
【００１７】
液晶表示装置の上辺側は、本体部の影になる。そのため、照度センサが液晶表示装置の上辺側に配置されていると、照度センサは、液晶表示装置周辺における照度を正しく検知することが困難となる。照度センサが液晶表示装置の下辺側に配置されている場合、本体部の影となる位置を避けて照度センサを配置することができるため、液晶表示装置周辺における照度をより正確に検知することができる。
【００１８】
上記の加熱調理装置は、電池の電圧を検知する電圧測定部をさらに備えていてもよい。制御部は、電圧測定部が電池の電圧低下を検知した場合、輝度を下げるようにバックライトを制御してもよい。この場合には、バックライトにおける消費電力をさらに低減することにより、電池寿命を延ばすことができる。
【００１９】
本発明の一態様に係る制御方法は、加熱調理装置の制御方法である。加熱調理装置は、電池と、電池により駆動されるバックライトと、液晶表示装置とを備える加熱調理装置の制御方法である。液晶表示装置は、液晶表示装置を透過するバックライトからの透過光及び液晶表示装置の内部において反射する反射光の少なくとも一方により映像を表示するように構成される。本発明の一態様に係る制御方法は、周囲の照度を検知する第１工程と、第１工程において検知される照度に基づいて、バックライトの輝度を制御する第２工程とを備える。第２工程において、バックライトは、第１工程において検知される照度が第１の値以下である場合、第１工程において検知される照度が低くなるほどバックライトの輝度が低くなるように制御され、かつ第１工程において検知される照度が第１の値よりも大きい第２の値以上である場合、第１工程において検知される照度が高くなるほどバックライトの輝度が低くなるように制御される。
【００２０】
本発明の一態様に係る制御方法によると、周囲の照度が高い状況及び周囲の照度が低い状況のいずれにおいても、液晶表示装置の視認性を確保しながらバックライトにおける消費電力を低減することができる。
【発明の効果】
【００２１】
本発明の一態様に係る加熱調理装置及びその制御方法によると、周囲の照度が高い状況及び周囲の照度が低い状況のいずれにおいても、液晶表示装置の視認性を確保しながらバックライトにおける消費電力を低減することができる。
【図面の簡単な説明】
【００２２】
【図１】実施形態に係る加熱調理装置の側面図である。
【図２】図１の領域ＩＩにおける拡大図である。
【図３】実施形態に係る加熱調理装置における液晶表示装置４の断面図である。
【図４】実施形態に係る加熱調理装置における液晶表示装置４の単位画素の構成を示す模式図である。
【図５】実施形態に係る加熱調理装置における機能ブロック図である。
【図６】実施形態に係る加熱調理装置における周囲の照度とバックライト５の輝度との関係を示す模式的なグラフである。
【図７】実施形態に係る加熱調理装置の制御方法を示すフローチャートである。
【発明を実施するための形態】
【００２３】
本発明の実施形態の詳細を、図面を参照しながら説明する。なお、以下の図面においては、同一又は相当する部分に同一の符号を付すものとし、重複する説明は繰り返さない。
【００２４】
以下に、実施形態に係る加熱調理装置の構成を、図１〜図６を参照して説明する。
図１に示すように、実施形態に係る加熱調理装置は、本体部１と、レンジフード２と、操作部３と、液晶表示装置４と、バックライト５と、照度センサ６と、照明装置７とを有している。
【００２５】
本体部１は、前側面１ａと、上面１ｂとを有している。前側面１ａは、実施形態に係る加熱調理装置のユーザと正対する本体部１の側面である。上面１ｂは、天井側を向いている本体部１の面である。本体部１は、加熱調理器１１を有している。加熱調理器１１の数は、複数であってもよい。加熱調理器１１は、上面１ｂに配置されている。加熱調理器１１は、例えばガスコンロである。但し、加熱調理器１１は、これに限られない。加熱調理器１１は、例えば電磁加熱調理器（ＩＨクッキングヒータ）、ハロゲンヒータ等であってもよい。
【００２６】
レンジフード２は、本体部１の上方（上面１ｂの上方）に配置されている。レンジフードは、加熱調理器１１によって加熱される鍋、フライパンからの湯気、油煙等を吸引し、室外に排出する。
【００２７】
操作部３は、本体部１に取り付けられている。より具体的には、操作部３は、本体部１の前側面１ａに取り付けられている。図２に示すように、操作部３は、本体部１に対して開閉可能に取り付けられている。操作部３には、入力部３１、液晶表示装置４及び照度センサ６が取り付けられている。入力部３１は、例えば、加熱調理器１１の火力増加若しくは減少又は動作開始若しくは動作終了に対応するボタン、スイッチ等により構成されている。
【００２８】
操作部３が開いた状態において、入力部３１、液晶表示装置４及び照度センサ６は、本体部１から露出している。操作部が閉じた状態において、入力部３１、液晶表示装置４及び照度センサ６は、本体部１の内部に収納されている。図２においては、操作部３は、いわゆるカンガルーポケット型であるが、操作部３は、引き出し型であってもよい。
【００２９】
液晶表示装置４は、半透過型の液晶表示装置である。すなわち、液晶表示装置４は、液晶表示装置４の表示面から入射し、かつ、液晶表示装置４の内部において反射する反射光と、液晶表示装置４を透過するバックライト５からの透過光により映像を表示するように構成されている。
【００３０】
図３に示すように、液晶表示装置４は、透明基板４１と、液晶層４２と、対向電極４３と、カラーフィルタ４４と、第１偏向板４５ａと、第２偏向板４５ｂとを有している。図４に示すように、液晶表示装置４は、データバスライン４６ａと、ゲートバスライン４６ｂと、メモリ素子４７と、電圧供給回路４８とをさらに有している。
【００３１】
透明基板４１は、第１面４１ａと、第２面４１ｂとを有している。第２面４１ｂは、第１面４１ａの反対面である。透明基板４１は、光を透過させる材料で形成されている。透明基板４１は、例えばガラス基板である。透明基板４１には、第１反射膜４１ｃと、第２反射膜４１ｄとが設けられている。第１反射膜４１ｃ及び第２反射膜４１ｄは、第１面４１ａ上に配置されている。第１反射膜４１ｃ及び第２反射膜４１ｄは、互いに離間して配置されている。第１反射膜４１ｃ及び第２反射膜４１ｄは、例えばアルミニウム等の光を反射させる材料で形成されている。
【００３２】
液晶層４２は、透明基板４１の上に配置されている。液晶層４２は、第１反射膜４１ｃ及び第２反射膜４１ｄと対向電極４３とにより挟み込まれている。対向電極４３は、光を透過させ、かつ、導電性の材料で形成されている。対向電極４３は、例えばＩＴＯ（酸化インジウムスズ）等で形成されている。対向電極４３は、例えば一定の電位に保持されている。
【００３３】
図３において図示されていないが、データバスライン４６ａ及びゲートバスライン４６ｂは、第１面４１ａの上において、第１反射膜４１ｃと第２反射膜４１ｄの間を通過するように配置されている。データバスライン４６ａ及びゲートバスライン４６ｂは、光を透過させ、かつ、導電性の材料で形成されている。データバスライン４６ａ及びゲートバスライン４６ｂは、例えばＩＴＯ等で形成されている。図示されていないが、データバスライン４６ａはデータドライバ回路に接続され、ゲートバスライン４６ｂはゲートドライバ回路に接続されている。
【００３４】
カラーフィルタ４４は、対向電極４３の上に配置されている。カラーフィルタは、特定の波長の光のみを透過させるように構成されている。より具体的には、カラーフィルタ４４は、画素毎に異なる色の光を透過させるように構成されている。第１偏向板４５ａ及び第２偏向板４５ｂは、透明基板４１、液晶層４２、対向電極４３及びカラーフィルタ４４を挟み込むように配置されている。なお、第１偏向板４５ａ及び第２偏向板４５ｂは、透過軸方向が直交するように配置されている。
【００３５】
メモリ素子４７は、データバスライン４６ａ及びゲートバスライン４６ｂに接続されている。メモリ素子４７の選択は、データバスライン４６ａをアクティブ状態とすることにより行われる。メモリ素子４７は、アクティブ状態とされた際に、ゲートバスライン４６ｂの信号状態を記憶する。ゲートバスライン４６ｂの信号状態は、画素の階調に対応している。メモリ素子４７は、例えば、複数のトランジスタにより構成されるＳＲＡＭ（Static  Random  Access  Memory）である。
【００３６】
電圧供給回路４８は、メモリ素子４７に接続されている。電圧供給回路４８は、メモリ素子４７の記憶状態に応じて、電圧を生成する。電圧供給回路４８によって生成された電圧は、第１反射膜４１ｃ及び第２反射膜４１ｄに供給される。第１反射膜４１ｃ（第２反射膜４１ｄ）と対向電極４３との間の電位差が変化した場合、液晶層４２に含まれる液晶分子の配向が変化することにより、液晶層４２中における光の透過率が変化する。すなわち、第１反射膜４１ｃ及び第２反射膜４１ｄは、液晶表示装置４の画素電極を構成している。
【００３７】
バックライト５は、好ましくは液晶表示装置４に内蔵されている。バックライト５は、ＬＥＤ（Light  Emitting  Diode）、冷陰極管等により構成されている。バックライト５からの光は、第１偏向板４５ａ及び透明基板４１を通り、液晶層４２に達する。なお、バックライト５からの光は、透明基板４１の第１反射膜４１ｃ及び第２反射膜４１ｄが設けられていない部分を通る。当該光は、液晶層４２を通過する。当該光は、さらに、対向電極４３、カラーフィルタ４４及び第２偏向板４５ｂを通る。このようにして、液晶表示装置４は、バックライト５からの透過光により、映像の表示が可能となっている。なお、バックライト５からの透過光の経路は、図３中において実線矢印で示されている。
【００３８】
液晶表示装置４の表示面（第２偏向板４５ｂ側の面）から入射した光は、第２偏向板４５ｂ、カラーフィルタ４４及び対向電極４３を通り、液晶層４２に達する。当該光は、液晶層４２を通り、第１反射膜４１ｃ及び第２反射膜４１ｄで反射される。この反射光は、再び液晶層４２、対向電極４３、カラーフィルタ４４及び第２偏向板４５ｂを通る。このようにして、液晶表示装置４は、液晶表示装置４の表示面から入射し、かつ、液晶表示装置４の内部において反射する反射光によっても、映像の表示が可能となっている。なお、液晶表示装置４の内部で反射する反射光の経路は、図３中において点線矢印で示されている。
【００３９】
図２に示すように、液晶表示装置４は、上辺４ａと、下辺４ｂとを有している。上辺４ａは、操作部３が開いた状態において本体部１に近い側にある。下辺４ｂは、上辺４ａの反対側の辺である。すなわち、下辺４ｂは、操作部３が開いた状態において本体部１から遠い側にある。
【００４０】
照度センサ６は、周囲の照度を検知し、周囲の照度に応じた信号を出力する。照度センサ６は、例えばフォトダイオードと電流増幅回路とにより構成されている。照度センサ６は、好ましくは、操作部３において、液晶表示装置４の下辺４ｂ側に取り付けられる。
【００４１】
照明装置７は、例えばレンジフード２に取り付けられている。照明装置７は、液晶表示装置４及び照度センサ６に向かって光を照射するように取り付けられている。
【００４２】
図５に示すように、実施形態に係る加熱調理装置は、電池８ａと、電圧測定部８ｂと、制御部９とをさらに有している。電池８ａは、バックライト５に給電している。電池８ａは、バックライト５のみならず、液晶表示装置４及び制御部９に給電していてもよい。電圧測定部８ｂは、電池８ａの電圧を測定するように構成されている。
【００４３】
制御部９は、例えばマイクロコントローラにより構成されている。制御部９は、照度センサ６からの信号に基づいて、バックライト５の輝度を制御する。より具体的には、図６に示すように、制御部９は、照度センサ６によって検知された周囲の照度が第１の値以下である場合には、周囲の照度が低くなるほどバックライト５の輝度が低くなるように、バックライト５を制御する。制御部９は、照度センサ６によって検知された周囲の照度が第２の値以上である場合には、周囲の照度が高くなるほどバックライトの輝度が低くなるように、バックライト５を制御する。
【００４４】
なお、第２の値は、第１の値よりも大きい。また、照度センサ６によって検知された周囲の照度が第１の値より大きく、第２の値よりも小さい場合には、制御部９は、バックライト５の輝度を一定に保つようにバックライト５を制御してもよい。
【００４５】
制御部９は、照度センサ６からの信号に基づいて、照明装置７を制御してもよい。より具体的には、制御部９は、照度センサ６によって検知された周囲の照度が第３の値以上である場合に、照明装置７の点灯を開始するように照明装置７を制御してもよい。なお、第３の値は、第１の値よりも大きく、第２の値よりも小さいことが好ましい。第３の値は、照明装置７が点灯することにより、照度センサ６において第２の値以上の照度が検知されるようになる照度の値であることが好ましい。
【００４６】
制御部９は、電圧測定部８ｂからの信号に基づいて、バックライト５の輝度を制御してもよい。より具体的には、制御部９は、電圧測定部８ｂが電池８ａの電圧が所定の値以下となったことを検知した場合に、バックライト５の輝度を下げるように、バックライト５を制御してもよい。制御部９は、入力部３１が操作された際に、バックライト５の点灯を開始するとともに、入力部３１の操作終了後所定の時間経過後にバックライト５を消灯するように、バックライト５を制御してもよい。
【００４７】
以下に、実施形態に係る加熱調理装置の制御方法を、図７を参照しながら説明する。
図７に示すように、実施形態に係る加熱調理装置の制御方法は、第１工程Ｓ１と、第２工程Ｓ２とを有している。
【００４８】
第１工程Ｓ１においては、周囲の照度が検知される。周囲の照度の検知は、照度センサ６により行われる。第２工程Ｓ２においては、第１工程Ｓ１において検知された照度に基づき、バックライト５の輝度が制御される。バックライト５の輝度の制御は、制御部９により行われる。より具体的には、第１工程Ｓ１において検知された照度が第１の値以下である場合、バックライト５は、周囲の照度が低くなるほど輝度が低くなるように制御される。また、第１工程Ｓ１において検知された周囲の照度が第１の値よりも大きい第２の値以上である場合、バックライト５は、周囲の照度が高くなるほど輝度が低くなるように制御される。
【００４９】
以下に、実施形態に係る加熱調理装置の効果を説明する。
制御部９は、照度センサ６によって検知される周囲の照度が第１の値以下である場合、照度が低くなるほど輝度が低くなるようにバックライト５を制御するとともに、照度センサ６によって検知される周囲の照度が第１の値よりも大きい第２の値以上である場合、照度が高くなるほど輝度が低くなるようにバックライト５を制御する。そのため、上記の加熱調理装置においては、周囲の照度が高い状況及び周囲の照度が低い状況のいずれにおいてもバックライト５の消費電力が低減される。
【００５０】
液晶表示装置４においては、液晶表示装置４の内部において反射する反射光により、映像を表示させることができる。そのため、液晶表示装置４においては、周囲の照度が高い場合、バックライト５からの光の輝度が低くても、液晶表示装置４の視認性を確保することができる。また、液晶表示装置４は、バックライト５からの透過光によっても、映像を表示させることができる。液晶表示装置４においては、周囲の照度が低い場合、バックライト５からの光の輝度が周囲の照度との関係で相対的に高くなるため、バックライト５からの光の輝度が低くても、液晶表示装置４の視認性を確保することができる。
【００５１】
そのため、実施形態に係る加熱調理装置においては、制御部９が上記のようなバックライト５の制御を行うことにより、周囲の照度が高い状況及び周囲の照度が低い状況のいずれにおいても、液晶表示装置４の視認性を確保しつつ、バックライト５における消費電力を低減することができる。
【００５２】
通常、液晶表示装置の単位画素は、画素トランジスタと、キャパシタと、画素電極とを有している。このような液晶表示装置においては、画素トランジスタのオン・オフによってキャパシタに充電される電荷で画素電極に電圧を印加することにより、映像の表示を行う。キャパシタに保持される電荷は、画素トランジスタからのリーク電流の影響により時間的に変動する。そのため、通常の液晶表示装置においては、表示される映像に変化がなくても、一定の時間間隔で、キャパシタに充電をし直すリフレッシュ動作が必要となる。このリフレッシュ動作の際に、周辺回路に電流が流れるため、電力消費が発生する。
【００５３】
しかしながら、液晶表示装置４がメモリ素子４７と、メモリ素子における記憶状態に基づいて電圧が印加される画素電極（第１反射膜４１ｃ及び第２反射膜４１ｄ）とを有している場合、上記のようなリフレッシュ動作が不要となる。そのため、この場合には、液晶表示装置４の消費電力をさらに低減することができる。
【００５４】
実施形態に係る加熱調理装置が照明装置７を有しており、かつ、制御部９が照度センサ６によって検知された周囲の照度に応じて照明装置７を点灯するように照明装置７を制御する場合、照明装置７から照射される光を液晶表示装置４の内部において反射させることにより映像を表示することができるため、バックライト５からの光の輝度が低くなるように制御が行われても、液晶表示装置４の視認性を確保することができる。そのため、この場合には、バックライト５における消費電力をさらに低減することができる。
【００５５】
液晶表示装置４の上辺４ａ側は、本体部１の影になる。そのため、照度センサ６が操作部３において液晶表示装置４の上辺４ａ側に配置されていると、照度センサ６は、液晶表示装置４周辺における照度を正しく検知することが困難となる。他方で、照度センサ６が操作部３において液晶表示装置４の下辺４ｂ側に配置されている場合、本体部の影となる位置を避けて照度センサ６を配置することができるため、液晶表示装置４周辺における照度をより正確に検知することができる。
【００５６】
電圧測定部８ｂが電池８ａの電圧低下を検知した際に、制御部９がバックライト５の輝度を下げるようにバックライト５を制御する場合、バックライト５における消費電力をさらに低減することにより、電池寿命を延ばすことができる。
【００５７】
今回開示された実施形態は全ての点で例示であって、制限的なものではないと考えられるべきである。本発明の範囲は上記した実施の形態ではなく特許請求の範囲によって示され、特許請求の範囲と均等の意味、及び範囲内での全ての変更が含まれることが意図される。
【産業上の利用可能性】
【００５８】
上記の実施形態は、液晶表示装置を有する加熱調理装置及びその制御方法に特に有利に適用される。
【符号の説明】
【００５９】
１  本体部、１ａ  前側面、１ｂ  上面、２  レンジフード、３  操作部、４  液晶表示装置、４ａ  上辺、４ｂ  下辺、４１ａ  第１面、４１ｂ  第２面、４１ｃ  第１反射膜、４１ｄ  第２反射膜、４２  液晶層、４３  対向電極、４４  カラーフィルタ、４５ａ  第１偏向板、４５ｂ  第２偏向板、４６ａ  データバスライン、４６ｂ  ゲートバスライン、４７  メモリ素子、４８  電圧供給回路、５  バックライト、６  照度センサ、７  照明装置、８ａ  電池、８ｂ  電圧測定部、９  制御部、１１  加熱調理器、３１  入力部、４１  透明基板、Ｓ１  第１工程、Ｓ２  第２工程。
【図１】
2019060533.tif 000003
【図２】
2019060533.tif 000004
【図３】
2019060533.tif 000005
【図４】
2019060533.tif 000006
【図５】
2019060533.tif 000007
【図６】
2019060533.tif 000008
【図７】
2019060533.tif 000009